(57)【要約】【課題】握力の測定に用いることができる合成樹脂製の飲料用容器を提供する【解決手段】飲料用容器１の胴部１２を覆うラベル１４には、ユーザの握力を測定するための数値が記載されている。当該数値は、飲料用容器１を、底部１１を下にして水平面上に置き、当該数値が記載されている位置まで内部に飲料を満たして蓋部１３を閉めた後、ユーザが飲料用容器１を持ち上げ、胴部１２を握り締め、底部１１の形状を通常の状態から外部に盛り上がるように飛び出した所定の形状の状態に移行させるために必要なユーザの握力を示している。【選択図】図１
2011079552.tif 000002
【特許請求の範囲】
【請求項１】
内部に飲料を収容可能な本体部と、
前記本体部と互いに着脱可能に係合し、前記本体部の内部に収容された飲料を前記本体部の外部に注ぎ出すための通路として前記本体部に設けられた開口部を密封可能な蓋部と
を備え、
前記本体部は、底部と、前記底部が下となるように前記本体部を水平面上に載置した場合に前記底部の縁部から上方に延伸する筒形状の胴部とを有し、
前記胴部もしくは前記胴部の外面を覆うラベルには、力の大きさを示す表示が前記本体部の外部から視認可能な態様で形成されており、
前記表示は、前記本体部の内部のうち前記底部から前記表示の形成されている位置までの空間を満たす量の飲料を前記本体部の内部に収容し、前記開口部を前記蓋部により密封した状態で、前記胴部の側方の外部所定位置から前記胴部の軸方向に向かい加えられる力により前記本体部に生じる変形に伴い前記底部の形状を所定の形状に至らしめるために必要な当該側方外部から加えられるべき力の大きさを示す
合成樹脂製の飲料用容器。
【発明の詳細な説明】
【技術分野】
【０００１】
本発明は、握力の測定を行うことが可能な合成樹脂製の飲料用容器に関する。
【背景技術】
【０００２】
飲料用容器としては、古くからビンや缶があるが、近年では、その利便性や低コスト性からＰＥＴ（ポリエチレンテレフタレート）製の飲料用容器、いわゆるペットボトルに代表される合成樹脂製の飲料用容器が広く普及している。
【０００３】
従来、合成樹脂製の飲料用容器には様々な工夫が施されてきた。例えば、胴部に凹みを設けて、握力が弱い人でも持ち運んだり内容物をコップ等の容器に注いだりできるようにしたペットボトルが開示されている（特許文献１）。
【０００４】
また、肉厚を薄くしつつ胴中央部を細く括れた構造にすることで、変形させても復元しやすく、握り込みや吸引で液体を排出できる合成樹脂製の肉薄な飲料用容器が開示されている（特許文献２）。
【先行技術文献】
【特許文献】
【０００５】
【特許文献１】特開２００８−１５５９７０
【特許文献２】特開２００５−２０６２１５
【発明の概要】
【発明が解決しようとする課題】
【０００６】
上述したように、合成樹脂製の飲料用容器は広く普及しているため、それを体力測定に利用することが可能であればユーザの健康増進に大いに資する、という点に本願発明者は思い至った。
【０００７】
そこで、本発明は、握力の測定に用いることができる合成樹脂製の飲料用容器を提供することを目的とする。
【課題を解決するための手段】
【０００８】
本発明は、上記の目的に鑑みて想到されたものであり、
内部に飲料を収容可能な本体部と、
前記本体部と互いに着脱可能に係合し、前記本体部の内部に収容された飲料を前記本体部の外部に注ぎ出すための通路として前記本体部に設けられた開口部を密封可能な蓋部と
を備え、
前記本体部は、底部と、前記底部が下となるように前記本体部を水平面上に載置した場合に前記底部の縁部から上方に延伸する筒形状の胴部とを有し、
前記胴部もしくは前記胴部の外面を覆うラベルには、力の大きさを示す表示が前記本体部の外部から視認可能な態様で形成されており、
前記表示は、前記本体部の内部のうち前記底部から前記表示の形成されている位置までの空間を満たす量の飲料を前記本体部の内部に収容し、前記開口部を前記蓋部により密封した状態で、前記胴部の側方の外部所定位置から前記胴部の軸方向に向かい加えられる力により前記本体部に生じる変形に伴い前記底部の形状を所定の形状に至らしめるために必要な当該側方外部から加えられるべき力の大きさを示す
合成樹脂製の飲料用容器
を提供する。
【発明の効果】
【０００９】
上述の合成樹脂製の飲料用容器によれば、ユーザは胴部を強く握りしめることによって底部が所定の形状に至るか否かを確認することにより、自分がどの程度の握力を持っているかを知ることができ、当該ユーザの健康意識が高められるとともに、当該ユーザの遊び心も満たされる。
【図面の簡単な説明】
【００１０】
【図１】図１は、本発明の実施形態にかかる合成樹脂製の飲料用容器の正面図である。
【図２】図２は、本発明の実施形態にかかる合成樹脂製の飲料用容器の底部付近の断面図である。
【図３】図３は、本発明の実施形態の変形例にかかる合成樹脂製の飲料用容器の正面図である。
【発明を実施するための形態】
【００１１】
（実施形態）
以下、本発明の一具体例である実施形態を、図面を用いて説明する。なお、本実施形態は、本発明を、容量が５００ミリリットルである合成樹脂製の飲料用容器１に適用したものである。
【００１２】
図１は、本実施形態にかかる飲料用容器１の正面図である。飲料用容器１は、底部１１と、底部１１の縁部から上方に延伸する筒形状の胴部１２と、胴部１２の上部に設けられている飲料を注ぎ出すための開口部に取り付けられ、この開口部を密封する蓋部１３と、胴部１２を覆うように取り付けられるラベル１４とを備えている。
【００１３】
飲料用容器１は、ＰＥＴを材料として作られており可撓性を有している。ただし、これは本発明を限定するものではなく、可撓性を有する限り飲料用容器１はＰＥＴ以外の合成樹脂で作られていてもよい。
【００１４】
飲料用容器１は、底部１１を下にして水平面で切った場合の断面が概ね円形状であるものとする。ただし、これは本発明を限定するものではなく、当該断面は長方形状もしくは楕円形状等であってもよい。
【００１５】
胴部１２には、飲料用容器１を握り易くするとともに握った時に滑り難くするための凹凸が設けられている。例えば、胴部１２の上下方向および円周方向に多数の突起が設けられている。後述のように、ユーザは握力を測定するために胴部１２を強く握ることが必要だからである。
【００１６】
底部１１は、胴部１２の側方の上下方向中腹部の外部から胴部１２の軸方向に向かい所定値以上の力が加えられた場合に、当該力によって生じる飲料用容器１の変形に伴い一部が外部に盛り上がるように飛び出す構造を有している。なお、飲料用容器１の変形に伴い底部１１の一部が外部に盛り上がるように飛び出すのは、主として当該外部から加えられる力による飲料用容器１の変形により飲料用容器１の内部の圧力が上昇し、上昇した圧力により底部１１が外側に押し出されるためである。
【００１７】
図２（ａ）は、通常の状態における底部１１付近を、底部１１を下にして水平面に垂直な平面で切った場合の断面図である。また、図２（ｂ）は、胴部１２の側方の上下方向中腹部を強く握った状態における底部１１付近を、底部１１を下にして水平面に垂直な平面で切った場合の断面図である。
【００１８】
ユーザが胴部１２を外側から片手で強く握ることにより、底部１１付近は図２（ａ）に示されるような通常の状態から図２（ｂ）に示されるような底部１１の中央部付近が外部に盛り上がるように飛び出した状態へと移行する。
【００１９】
ラベル１４には、ユーザの握力を測定するための数値（単位はキログラム重）が記載されている。当該数値は、飲料用容器１を、底部１１を下にして水平面上に置き、当該数値が記載されている位置まで内部に飲料を満たして蓋部１３を閉めた後、ユーザが飲料用容器１を持ち上げ、胴部１２を握り締め、底部１１の形状を図２（ａ）から図２（ｂ）に移行させるために必要なユーザの握力を示している。
【００２０】
すなわち、飲料用容器１を底部１１が下になる状態にして胴部１２の両側方から力を加えた場合、当該力が飲料用容器１の内部に蓄えられている飲料の上端の位置に記載されている数値以上の力であれば、底部１１の中央部付近が外部に盛り上がるように飛び出す。
【００２１】
飲料用容器１の内部に蓄えられている飲料の量が少ない程、当該内部に含まれる空気の量が多いこととなる。そうすると、当該空気は飲料より高い圧縮性を有するので、胴部１２の側方から力を加えて飲料用容器１を変形させても当該内部の圧力は飲料の量が多い場合と比較して高まり難くなり、その結果として上述の底部１１の中央部付近は外部に盛り上がるように飛び出し難くなる。したがって、図１に示されるように、胴部１２に記載されている上述の所定値を示す数値は、下に行くほど大きな値になる。
【００２２】
底部１１の中央部付近は、一旦ある程度のところまで外部に盛り上がるように飛び出すと胴部１２に加えていた力を取り除いても元の状態（上述の通常の状態）には戻らない。したがって、底部１１の中央部付近を上述の通常の状態に戻すためには、当該中央部付近を指等で外部から内部に押し戻してやる必要がある。そのように底部１１の中央部付近の飛び出しのオンとオフとが明確になっていることによって、ユーザは高い達成感を得ることができるようになっている。
【００２３】
以上のような構成を有する飲料用容器１の使用方法の一例を以下に説明する。
【００２４】
先ず、未使用の飲料用容器１を準備して、何キログラム重の握力にチャレンジするか考える。例えば、前回は３０キログラム重をクリアしたから今回は３５キログラム重にチャレンジしようと考える。そうしたら、蓋部１３を取り除いて、飲料用容器１を水平面上に置いた時の残りの飲料の上面がラベルの３５と記載されている位置となるまで飲料を飲みほす。あるいは、飲料用容器１内の飲料の残量がそのようになるように、コップ等の他の容器に飲料の一部を移してもよい。
【００２５】
次に、蓋部１３を再びきつく閉めて合成樹脂製の飲料用容器１を、底部１１を下にした状態で握力を測りたい方の手で握って胴部１２の両側の側方から力を加える。この際、底部１１の中央部付近がポコッという音を発して外部に盛り上がるように飛び出した後、当該力を取り除いても元の状態に戻らなければ、目標としていた握力（すなわち、３５キログラム重）をクリアしたことになる。
【００２６】
さらに、２回目、３回目のチャレンジを試みたければ、飲料用容器１の内部の飲料をさらに飲む、もしくは他の容器に移す等した後に、上述したものと同様の握力の測定を繰り返す。なお、１回目よりも目標を小さくして再度のチャレンジを試みたければ、他の容器に移しておいた飲料を飲料用容器１の内部に移し戻した後に握力の測定を行えばよい。
【００２７】
このように、飲料用容器１は、スポーツ等に興味がある人が飲料を飲むことによって喉の渇きを癒すとともに握力測定に利用することが考えられる。さらに、特にスポーツ等に興味がない人でも、飲料用容器１を使用することによって、遊び心を満足させられることになる。
【００２８】
上述した実施形態は、本発明の技術的思想の範囲内で様々に変形可能である。
【００２９】
例えば、胴部１２には、飲料用容器１を握り易くするとともに握った時に滑り難くするための凹凸が設けられているものとしたが、特に問題がなければ当該凹凸は設けられなくてもよい。また、上下方向に稜線と谷線とが交互にくるように波打つ形状としてもよい。また、円周方向に稜線と谷線とが交互にくるように波打つ形状としてもよい。
【００３０】
また、上述した実施形態においては、底部１１の構造として、図２に示した形状が採用されるものとしたが、本発明はそれに限られず、握力測定に要する飛び出しが可能となる構造であれば、それ以外のいかなる構造が採用されてもよい。
【００３１】
また、底部１１の中央部付近は、一旦ある程度のところまで外部に盛り上がるように飛び出すと胴部１２に加えていた力を取り除いても元には戻らないものとしたが、特に問題がなければ、当該力を取り除いた場合に元に戻る構造を採用してもよい。例えば、底部１１が外部に盛り上がるように飛び出す結果、その所定部が所定の位置、例えば予め底部１１近くの胴部１２の円周方向に一周するように刻まれた目印ラインの位置等に達することを飲料用容器１の側方から目視で確認することにより、握力を測定するようにしてもよい。
【００３２】
また、上述の実施形態においては、握力を示す数値は胴部１２を覆うように取り付けられたラベル１４に印刷されているものとしたが、本発明はこれに限られず、ユーザが外部から視認できる態様であればそれらの数値がいかなる態様で飲料用容器１に形成されていてもよい。例えば、飲料用容器１がラベル１４を備えず胴部１２に直接数値が印刷されていてもよいし、印刷に代えて胴部１２の成形の過程において数値が胴部１２に刻まれてもよい。
【００３３】
なお、上述の実施形態においては、飲料用容器１の底部１１は、飛び出しおよび押し戻しに伴う変形を繰り返しても飛び出しに要する力の大きさに変化が生じないものとしたが、底部１１の形状や飲料用容器１の素材等によっては、変形の回数に伴い変形に要する力の強さが小さくなる場合もある。そのような場合、例えばラベル１４に記載する数値のラインを１回目、２回目、３回目・・・のように複数設け、１回目の握力測定においては１回目のラインに記載の数値を目標の握力の大きさとして用い、２回目の握力測定においては２回目のラインに記載の数値を目標の握力の大きさとして用いる、というようにして、複数回の握力測定を可能としてもよい。図３は、そのような場合の飲料用容器１の外観を示した図である。
【００３４】
また、底部１１には、その形状や素材によっては繰り返しの飛び出しおよび押し戻しに伴う変形によって亀裂が走る可能性がある。そのような場合には、握力測定の回数の上限値を例えばラベル１４に記載する等により飲料用容器１の内部の飲料が漏れ出すといった不都合を事前に防止する等の対策を講じればよい。
【産業上の利用可能性】
【００３５】
本発明は、上述した容量が５００ミリリットルの飲料用のペットボトルに適用可能であるだけでなく、その他の様々な容量の飲料用容器や、その他の様々な素材の飲料用容器にも適用可能であり、体力測定やアトラクション等の様々なシチュエーションで用いられることが期待される。
【符号の説明】
【００３６】
１…飲料用容器、１１…胴部、１２…底部、１３…蓋部、１４…ラベル
【図１】
2011079552.tif 000003
【図２】
2011079552.tif 000004
【図３】
2011079552.tif 000005